(57)【要約】【課題】暑さや寒さ、降雪、降雨等の天候に左右されずにプレイ可能とするだけではなく、大都市にも建造可能な比較的狭小な占有面積でありながら、パター等も含めた種々のショットを打ちつつ各ホールをラウンドし、現実のグリーンのカップにボールを沈めることが可能な、屋内ゴルフ場を実現することを目的とする。【解決手段】室内が円形である構造物の中央部の同心円周上に受付カウンター及び上階または／及び下階への連絡通路を設け、同心円の外側にはティーグラウンドを配置し、構造物の周縁側にグリーンを各々配置した複数のホールを放射状に設け、各ホール毎に、仕切用の壁と、屋根と、室内周縁部に配置されてゴルファーのショットに応じた打球シミュレーションの映像を描写可能なスクリーンとを設けた屋内ゴルフ場とする。【選択図】図１
2014140550.tif 000002
【特許請求の範囲】
【請求項１】
室内が円形である構造物の中央部の同心円周上に受付カウンター及び上階または／及び下階への連絡通路を設け、前記同心円の外側にはティーグラウンドを配置し、前記構造物の周縁側にグリーンを各々配置した複数のホールを放射状に設け、前記各ホール毎に、仕切用の壁と、屋根と、室内周縁部に配置されてゴルファーのショットに応じた打球シミュレーションの映像を描写可能なスクリーンとを設け、
バンカーショットを含む前記グリーンへのアプローチショット及びパターのみを現実に遂行し、他のショットは弾道の確認のみ可能で打球シミュレーションによりプレイを遂行する全天候型の屋内ゴルフコースとした
ことを特徴とする屋内ゴルフ場。
【請求項２】
請求項１に記載の屋内ゴルフ場において、
前記各ホールの床は、少なくとも前記グリーン側が芝で構成される
ことを特徴とする屋内ゴルフ場。
【請求項３】
請求項１または請求項２に記載の屋内ゴルフ場において、
前記複数のホールのうち一つ以上のホールは、バンカーまたは／及び池を備える
ことを特徴とする屋内ゴルフ場。
【請求項４】
請求項１乃至請求項３のいずれか一項に記載の屋内ゴルフ場において、
前記複数のホールのうち一つ以上のホールは、前記ティーグラウンドと前記同心円周との間に、キャディーバック置き場とベンチとを備える
ことを特徴とする屋内ゴルフ場。
【請求項５】
請求項１乃至請求項４のいずれか一項に記載の屋内ゴルフ場において、
前記各ホールは、前記ティーグラウンドからショットを打つゴルファーから視認可能なように、前記ティーグラウンド周辺に設けられ、少なくとも前記各ホールのホール番号と残りヤード数と風速とを表示する表示装置を備える
ことを特徴とする屋内ゴルフ場。
【請求項６】
請求項１乃至請求項５のいずれか一項に記載の屋内ゴルフ場において、
前記ティーグラウンドと前記スクリーンとの間は、１５メートル乃至２０メートルである
ことを特徴とする屋内ゴルフ場。
【請求項７】
請求項１乃至請求項６のいずれか一項に記載の屋内ゴルフ場において、
少なくとも前記グリーンは、天然芝で構成され、天井には前記天然芝を育成または養生するために天然採光を補助するＬＥＤ照明が備えられる
ことを特徴とする屋内ゴルフ場。
【請求項８】
請求項１乃至請求項７のいずれか一項に記載の屋内ゴルフ場において、
前記連絡通路は階段である
ことを特徴とする屋内ゴルフ場。
【請求項９】
請求項１乃至請求項８のいずれか一項に記載の屋内ゴルフ場において、
前記各ホールは、前記同心円を除く中心角が２０°の同一の扇型である
ことを特徴とする屋内ゴルフ場。
【発明の詳細な説明】
【技術分野】
【０００１】
本発明は、暑さや寒さ、降雪、降雨等の天候に左右されずにプレイ可能とするだけではなく、大都市にも建造可能な比較的狭小な占有面積でありながら、パター等も含めた種々のショットを打ちつつ各ホールをラウンドし、現実のグリーンのカップにボールを沈めることが可能な、屋内ゴルフ場に関する。
【背景技術】
【０００２】
下記特許文献１には、プレイのための往復時間が短く、且つ四季及び昼夜の時間を問わず安価な費用でゴルフプレイが楽しめ、しかも自然破壊等の問題も生じない屋内ゴルフ場を提供することを目的とする発明が開示されている。図４は、特許文献１に開示されている従来の人工ゴルフ場を説明する図である。図４に示すように、建物Ａの床面１にゴルフコースを設け、このゴルフコースは複数のゴルフホールからなり、各ゴルフホールは天井及び周囲に設けた防護ネット２で区画され、人工芝で形成したフェアウェー３の一端側にティーグラウンド４、他端側に人工芝のグリーン５を設けると共に、適所に人工池７４、バンカー７１、立木７２等の障害物７及びオービーゾーン７５を配してなる人工ゴルフ場の技術思想が特許文献１に提案されている。
【０００３】
また、下記特許文献２には、大都市近郊に設けて手軽にゴルフを楽しめるようにした全天候対応の屋内ゴルフ施設に関する発明であって、構造物の中央部にクラブハウスを設け、該クラブハウスを中心にして、人工樹林や人工池等の人造物を有した可動自在な人工床を設け、該人工床上に前記クラブハウス側にティーグラウンドを配置し構造物の周縁側に前後左右上下の３方向に移動自在なグリーンを配置し、ロングホールやショートホールを地形に応じて適宜混在させた複数のホールを放射状に設けるとともに、前記各ホールの側端にグリーン側とティーグラウンド側を連絡させる動く歩道を設け、前記各ホール毎に仕切用の壁と自然光を採光可能な屋根とを設けて各ホールを独立的に覆い、前記各屋根の高さをティーグラウンド側からグリーン側へと高くして形成し、全天候型のゴルフコースとしたことを特徴としてなる屋内型ゴルフランドが開示されている。
【０００４】
図５は、特許文献２に開示されている従来の屋内型ゴルフランドを説明する図である。図５に示すように、屋内型ゴルフランド１は、略円形状の構造物の中央部にクラブハウス７を設け、該クラブハウス７を中心にして、人工樹林や人工池等の人造物を有した可動自在な人工床１０を設け、該人工床１０上に前記クラブハウス７側にティーグラウンド４を配置し構造物の周縁側に前後左右上下の３方向に移動自在なグリーン３を配置し、ロングホールやショートホールを地形に応じて適宜混在させた９ホールのゴルフホール２ａ，２ｂ…２ｉを放射状にして設けるとともに、前記各ホール２の側端にグリーン３側とティーグラウンド４側を連絡させる動く歩道５を設け、前記各ホール２毎に仕切用の壁１１と自然光を採光可能な屋根６とを設けて各ホール２を独立的に覆い、前記各屋根６，６，…の高さをティーグラウンド４側からグリーン３側へと高くして形成し、全天候型のゴルフコースとする技術思想が特許文献２において提案されている。
【０００５】
また、クラブハウス７には、各階７ａにおいてプレイヤーのためにレストランやスポーツ店や喫茶室、更にはサウナ室やプールを設けること、また、地下部分７ｂには駐車場を設けることが記載されている。
【先行技術文献】
【特許文献】
【０００６】
【特許文献１】特開平０６−２３８０３０号公報
【特許文献２】特公平０７−０７３６２０号公報
【発明の概要】
【発明が解決しようとする課題】
【０００７】
従来の屋内ゴルフ場は、最も長いロングホールの長さに対応する長さや半径を有する建物や構造物が必要であった。
【０００８】
しかし、大都会や都市近郊においては、最も長いロングホールの長さに対応する一辺を有する矩形の遊休地や、最も長いロングホールの長さに対応する半径を有する円形の遊休地を見つけることは極めて困難である。
【０００９】
一方、アミューズメント施設に設けられるゴルフ練習機等は、プレイヤーから前方スクリーンや前方ネットまでの距離が極めて短く、自身のショットによるボールの現実の弾道を確認することができない。
【００１０】
この点、いわゆる打ちっ放しゴルフ練習場においては、自身のショットによるボールの現実の弾道は確認できるが、文字通り打ちっ放しで終了するものであり、ゴルフボールを順次打ち繋いでグリーンのカップに沈めるというゴルフの醍醐味は味わえない。
【００１１】
また、アミューズメント施設に設けられるゴルフ練習機等は、プレイヤーが左右のネット及び前方のスクリーン又は前方のネットとで囲まれた極めて狭い空間内でのショットを強いられる。このため、シミュレータ等により前方スクリーンにボールの弾道映像やゴルフ場の背景映像が映写されたとしても、ゴルフ場の開放感を味わうことはできない。
【００１２】
本発明は、上述した問題点に鑑み為された発明であって、暑さや寒さ、降雪、降雨等の天候に左右されずにプレイ可能とするだけではなく、大都市にも建造可能な比較的狭小な占有面積でありながら、パター等も含めた種々のショットを打ちつつ各ホールをラウンドし、現実のグリーンのカップにボールを沈めることが可能な、屋内ゴルフ場を実現することを目的とする。
【課題を解決するための手段】
【００１３】
本発明の屋内ゴルフ場は、室内が円形である構造物の中央部の同心円周上に受付カウンター及び上階または／及び下階への連絡通路を設け、同心円の外側にはティーグラウンドを配置し、構造物の周縁側にグリーンを各々配置した複数のホールを放射状に設け、各ホール毎に、仕切用の壁と、屋根と、室内周縁部に配置されてゴルファーのショットに応じた打球シミュレーションの映像を描写可能なスクリーンとを設け、バンカーショットを含むグリーンへのアプローチショット及びパターのみを現実に遂行し、他のショットは弾道の確認のみ可能で打球シミュレーションによりプレイを遂行する全天候型の屋内ゴルフコースとしたことを特徴とする。
【００１４】
また、本発明の屋内ゴルフ場は、好ましくは各ホールの床が、少なくともグリーン側が芝で構成されることを特徴とする。
【００１５】
また、本発明の屋内ゴルフ場は、さらに好ましくは複数のホールのうち一つ以上のホールが、バンカーまたは／及び池を備えることを特徴とする。
【００１６】
また、本発明の屋内ゴルフ場は、さらに好ましくは複数のホールのうち一つ以上のホールが、ティーグラウンドと同心円周との間に、キャディーバック置き場とベンチとを備えることを特徴とする。
【００１７】
また、本発明の屋内ゴルフ場は、さらに好ましくは各ホールが、ティーグラウンドからショットを打つゴルファーから視認可能なように、ティーグラウンド周辺に設けられ、少なくとも各ホールのホール番号と残りヤード数と風速とを表示する表示装置を備えることを特徴とする。
【００１８】
また、本発明の屋内ゴルフ場は、さらに好ましくはティーグラウンドとスクリーンとの間は、１５メートル乃至２０メートルであることを特徴とする。
【００１９】
また、本発明の屋内ゴルフ場は、さらに好ましくは少なくともグリーンが、天然芝で構成され、天井には天然芝を育成または養生するために天然採光を補助するＬＥＤ照明が備えられることを特徴とする。
【００２０】
また、本発明の屋内ゴルフ場は、さらに好ましくは連絡通路が階段であることを特徴とする。
【００２１】
また、本発明の屋内ゴルフ場は、さらに好ましくは各ホールが、同心円を除く中心角が２０°の同一の扇型であることを特徴とする。
【発明の効果】
【００２２】
暑さや寒さ、降雪、降雪等の天候に左右されずにプレイ可能とするだけではなく、大都市にも建造可能な比較的狭小な占有面積でありながら、パター等も含めた種々のショットを打ちつつ各ホールをラウンドし、現実のグリーンのカップにボールを沈めることが可能な、屋内ゴルフ場を実現できる。
【図面の簡単な説明】
【００２３】
【図１】本実施形態のゴルフ場の概要を説明する概念図である。
【図２】第一ホールを第二ホール側から観察した状態を説明する概念図である。
【図３】図１に示す本実施形態のゴルフ場の一部を拡大して説明する概念図である。
【図４】特許文献１に開示されている従来の人工ゴルフ場を説明する図である。
【図５】特許文献２に開示されている従来の屋内型ゴルフランドを説明する図である。
【発明を実施するための形態】
【００２４】
本実施形態で説明する屋内ゴルフ場は、現実のゴルフ場でプレイするような打球感やアプローチショット、パターを実行できながら、気温や雨雪に左右されることなく空調が施された屋内で快適にプレイできる。
【００２５】
いわば、アミューズメント施設等にあるゴルフシミュレーションゲームやゴルフ練習機と、現実のゴルフ場との良いところを絶妙にミックスして両者の整合を図り、例えば高齢者や暑さ寒さに弱いゴルファーに対しても、適切なゴルフ場を提供することができるものである。
【００２６】
円形のゴルフ場内には、一ホール当たり例えば中心角が２０°で計１８ホールが放射状に構成されている。そして、ティーショット等はシミュレーションゴルフとするように、各ホールの外縁部にはスクリーンが備えられる。また、各ホールの最終段階であるアプローチショット及びパターは、本物のグリーンやバンカー、芝上でプレイできるものとする。
【００２７】
このため、各ホールは長さが例えば１５メートル乃至２０メートルとし、ティーショットの打球方向や打球性質（スライス、フック等）を現実に見極められる程度の長さとするとともに、現実のグリーンを配置してその周囲には好ましくはバンカーや池を配置する。
【００２８】
団塊世代の人たちは既に高齢化しつつあり、特に夏場の炎天下や冬場の厳寒期には、体力的に自信のある人であってゴルフが好きであっても、ゴルフ場に出向くことはなかなか困難であり、また無理をすれば脱水や熱射病、脳梗塞等の危険を伴うこともある。
【００２９】
一方、家屋内に引きこもってしまえば運動不足に陥って、いわゆるロコモティブシンドローム（運動器の障害により要介護となる危険性の高い状態）を引き起こすことも考えられる。ロコモティブシンドロームはその予備軍も含めると、全国に４７００万人いるともいわれている。
【００３０】
このため、夏場や冬場にゴルフをしたいけれども、死の危険にさらされてまではゴルフ場に行きたくないという人向けや、ゴルフ場が建設できない中東の砂漠地や極寒の国や赤道直下の熱帯国においてゴルフを楽しみたいという人向けに、現実の青々とした芝で手軽に快適に楽しむことができるゴルフ場を提供するニーズが生じるものと考えられる。
【００３１】
植物本来が有している生きた天然芝の新鮮な臭いをかぎながら、蒼い芝の上で快適にプレイするゴルフは、ゴルファーの身も心も活性化して元気にさせる源である。そこで、図面に従って、本実施形態の屋内ゴルフ場について順次以下に説明する。
【００３２】
図１は、本実施形態の屋内ゴルフ場１０００の概要を説明する概念図である。また、図３は、図１に示す本実施形態のゴルフ場の一部を拡大して説明する概念図である。図１に示すように、屋内ゴルフ場１０００は、平面視円形の建物内部において、好ましくは中心角２０°の同一放射状形状として、好ましくは長さ１５乃至２０メートルの各ホールが構成される。また、図１において、例えばゴルフコースと同一フロアに入り口やエントランスを設ける場合には、入り口分に相当するスペースを空けるように各ゴルフコースの中心角を狭くするか、または２フロアに分けて計１８ホールを設けてもよい。また、同一フロアに入り口と１８ホールとを設ける場合には、各ホール及び入り口分をそれぞれ中心角約１９°で構成してもよい。
【００３３】
図１に示すように、第一ホール１１００の横には第二ホール１２００が形成され、順次不図示の第三ホール、第四ホールと続き、第十八ホール１３００でちょうど円周一周分に相当する。図１においては、説明の便宜上、第一ホール１１００及び第一ホール１１００に隣接する第二ホール１２００と第十八ホール１３００とのみを示している。
【００３４】
図１に示すように、屋内ゴルフ場１０００は、入り口から回転ドアを経由して入場すると、中央部の同心円周上に受け付けカウンターが設置されている。また、当該同心円上には、下り階段と登り階段とが設けられている。屋内ゴルフ場１０００の上階または下階を例えば駐車場や大浴場やレストランとすることもでき、前述した階段はエスカレータとすることもできる。
【００３５】
また、図１において、放射形状の第一ホール１１００は、その外縁側に天然芝で形成されたグリーン１１１０を備える。グリーン１１１０は、屋外ゴルフ場と同様に、カップと旗とを備えることができる。
【００３６】
また、グリーン１１１０の周辺には、バンカー１１２０または／および池１１９０を備える。バンカー１１１０及び池１１９０及びグリーン１１１０は、天然芝領域１１６０内に備えられる。このため、天然芝領域１１６０内でプレイするゴルファーは、快適な空調が効いていることを除けば、屋外の一般ゴルフ場でプレイするのと極めて近似する状況下でゴルフを楽しめる。
【００３７】
また、バンカー１１１０及び池１１９０は共に備えているもよく、いずれか一方のみを備えていてもよく、いずれも備えなくてもよい。
【００３８】
また、ティーグラウンド１１１１から見えるように最外縁部にはスクリーン１１３０が配置されており、ティーグラウンド１１１１からティーショットを打った打球のシミュレーションが映写される。このため、ゴルファーは、実打球の飛球を２０メートル程度目視できるとともに、それ以上の飛距離についてはスクリーン１１３０に映写されたシミュレーション打球で確認することができる。
【００３９】
ここで、スクリーン１１３０に表示されるシミュレーション映像は、現在公知のアミューズメント施設等に設置されているゴルフ練習機やゴルフシミュレータの映像であってよい。そして、そのシミュレーションに用いられるコースは、現実の第一ホール１１００のグリーン１１１０形状や周辺配置と条件が一致したものとすることが好ましい。
【００４０】
また、各ゴルフコースの間は、ティーグラウンド１１１１側から見て天然芝領域１１６０までは仕切り壁１１５０で仕切られ、天然芝領域１１６０においてはネット１１４０で仕切られることが好ましい。ネット１１４０は、通気性が確保されるだけではなく、天然芝への散水や光照射においてもコースに拘わらず天然芝をまとめて一元的に管理するのに有利であり、天然芝のメンテナンスが容易となる。一方、仕切り壁１１５０は、飛打球が他コースへ進入するのを防いで安全を確保するとともに、各コースの独立性を保つのに役立つ。
【００４１】
また、ティーグラウンド１１１１に立ったゴルファーが、第一ホール１１００のグリーン１１１０周辺環境とリンクしたゴルフシミュレーションに関する条件設定を視認可能な表示装置１１３１が配置されている。
【００４２】
表示装置１１３１は、ティーグラウンド１１１１からの打球方向前方であって、打球のコースに直接入ることがない少しずらした視認し易い位置に設けることが好ましい。該表示装置１１３１は、ゴルフシミュレーションに設定された、少なくとも第一ホール１１００のホール番号と残りヤード数（ティーショット時にはホール全長）と設定風速とを表示する。
【００４３】
また、表示装置１１３１は、ＬＥＤディスプレイであってもよく、液晶ディスプレイであってもよく、有機ＥＬディスプレイであってもよく、映写スクリーンであってもよい。また、飛打球から表示面を保護するネット等の保護具をその前面に備えていてもよい。
【００４４】
また、図１から理解できるように、ティーグラウンド１１１１の後方（同心円側）には、パーティション１１７０とベンチ１１８０とキャディーバック置き場１１９２（図２に図示）とが備えられる。
【００４５】
第二ホール１２００についても同様である。図１において、放射形状の第二ホール１２００は、その外縁側に天然芝で形成されたグリーン１２１０を備える。グリーン１２１０は、屋外ゴルフ場と同様に、カップと旗とを備えることができる。
【００４６】
また、グリーン１２１０の周辺には、バンカー１２２０または／および池１２９０を備える。バンカー１２１０及び池１２９０及びグリーン１２１０は、天然芝領域１２６０内に備えられる。このため、天然芝領域１２６０内でプレイするゴルファーは、快適な空調が効いていることを除けば、屋外の一般ゴルフ場でプレイするのと極めて近似する状況下でゴルフを楽しめる。また、バンカー１２１０及び池１２９０は共に備えていてもよく、いずれか一方のみを備えていてもよく、いずれも備えなくてもよい。
【００４７】
また、ティーグラウンド１２１１から見えるように最外縁部にはスクリーン１２３０が配置されており、ティーグラウンド１２１１からティーショットを打った打球のシミュレーションが映写される。このため、ゴルファーは、実打球の飛球を２０メートル程度目視できるとともに、それ以上の飛距離についてはスクリーン１２３０に映写されたシミュレーション打球で確認することができる。
【００４８】
ここで、スクリーン１２３０に表示されるシミュレーション映像は、現在公知のアミューズメント施設等に設置されているゴルフ練習機やゴルフシミュレータの映像であってよい。そして、そのシミュレーションに用いられるコースは、現実の第二ホール１２００のグリーン１２１０形状や周辺配置と条件が一致したものとすることが好ましい。
【００４９】
また、各ゴルフコースの間は、ティーグラウンド１２１１側から見て天然芝領域１２６０までは仕切り壁１２５０で仕切られ、天然芝領域１２６０においてはネット１２４０で仕切られることが好ましい。
【００５０】
また、ティーグラウンド１２１１に立ったゴルファーが、第二ホール１２００のグリーン１２１０周辺環境とリンクしたゴルフシミュレーションに関する条件設定を視認可能な表示装置１２３１が配置されている。
【００５１】
表示装置１２３１は、ティーグラウンド１２１１からの打球方向前方であって、打球のコースに直接入ることがない少しずらした視認し易い位置に設けることが好ましい。該表示装置１２３１は、ゴルフシミュレーションに設定された、少なくとも第二ホール１２００のホール番号と残りヤード数（ティーショット時にはホール全長）と設定風速とを表示する。
【００５２】
また、表示装置１２３１は、ＬＥＤディスプレイであってもよく、液晶ディスプレイであってもよく、有機ＥＬディスプレイであってもよく、映写スクリーンであってもよい。また、飛打球から表示面を保護するネット等をその前面に備えていてもよい。
【００５３】
また、図１から理解できるように、ティーグラウンド１２１１の後方（同心円側）には、パーティション１２７０とベンチ１２８０とキャディーバック置き場１２９２とが備えられる。
【００５４】
上述のようにして、順次第三ホール、第四ホールと構成されて、第十八ホール１３００でちょうど、円形の屋内ゴルフ場１０００を一周する。また、第十八ホール１３００についても同様である。図１において、放射形状の第十八ホール１３００は、その外縁側に天然芝で形成されたグリーン１３１０を備える。グリーン１３１０は、屋外ゴルフ場と同様に、カップと旗とを備えることができる。
【００５５】
また、グリーン１３１０の周辺には、バンカー１３２０または／および池１３９０を備える。バンカー１３１０及び池１３９０及びグリーン１３１０は、天然芝領域１３６０内に備えられる。このため、天然芝領域１３６０内でプレイするゴルファーは、快適な空調が効いていることを除けば、屋外の一般ゴルフ場でプレイするのと極めて近似する状況下でゴルフを楽しめる。また、バンカー１３１０及び池１３９０は共に備えていてもよく、いずれか一方のみを備えていてもよく、いずれも備えなくてもよい。
【００５６】
また、ティーグラウンド１３１１から見えるように最外縁部にはスクリーン１３３０が配置されており、ティーグラウンド１３１１からティーショットを打った打球のシミュレーションが映写される。このため、ゴルファーは、実打球の飛球を２０メートル程度目視できるとともに、それ以上の飛距離についてはスクリーン１３３０に映写されたシミュレーション打球で確認することができる。
【００５７】
ここで、スクリーン１３３０に表示されるシミュレーション映像は、現在公知のアミューズメント施設等に設置されているゴルフ練習機やゴルフシミュレータの映像であってよい。そして、そのシミュレーションに用いられるコースは、現実の第十八ホール１３００のグリーン１３１０形状や周辺配置と条件が一致したものとすることが好ましい。
【００５８】
また、各ゴルフコースの間は、ティーグラウンド１３１１側から見て天然芝領域１３６０までは仕切り壁１３５０で仕切られ、天然芝領域１３６０においてはネット１３４０で仕切られることが好ましい。
【００５９】
また、ティーグラウンド１３１１に立ったゴルファーが、第十八ホール１３００のグリーン１３１０周辺環境とリンクしたゴルフシミュレーションに関する条件設定を視認可能な表示装置１３３１が配置されている。
【００６０】
表示装置１３３１は、ティーグラウンド１３１１からの打球方向前方であって、打球のコースに直接入ることがない少しずらした視認し易い位置に設けることが好ましい。該表示装置１３３１は、ゴルフシミュレーションに設定された、少なくとも第十八ホール１３００のホール番号と残りヤード数（ティーショット時にはホール全長）と設定風速とを表示する。
【００６１】
また、表示装置１３３１は、ＬＥＤディスプレイであってもよく、液晶ディスプレイであってもよく、有機ＥＬディスプレイであってもよく、映写スクリーンであってもよい。また、飛打球から表示面を保護するネット等をその前面に備えていてもよい。
【００６２】
また、図１から理解できるように、ティーグラウンド１３１１の後方（同心円側）には、パーティション１３７０とベンチ１３８０とキャディーバック置き場（不図示）とが備えられる。
【００６３】
図２は、第一ホール１１００を第二ホール１２００側から観察した状態を説明する概念図である。図２に示すように、ティーグラウンド１１１１の後方には、キャディーバック置き場１１９２と、ベンチ１１８０と、受付や階段との間仕切りとなるパーティション１１７０とが備えられる。
【００６４】
また、第一ホール１１００の天井には、天然芝領域１１６０の天然芝やグリーン１１１０の芝を育成し養生するためのＬＥＤ照明１１９１（１），１１９１（２）が備えられる。ＬＥＤ照明１１９１（１），１１９１（２）は、天然採光を補助するために用いられるが、室外光を室内導入しない場合にはＬＥＤ照明１１９１（１），１１９１（２）のみで芝生を育成・養生することもできる。
【００６５】
また、図２から明らかなように、グリーン１１１０の周辺にはバンカー１１２０または／及び池１１９０が配置され、天然芝領域１１６０においては、現実の屋外ゴルフコースと変わりのないコース配置が実現されている。
【００６６】
また、図２に示すように、グリーン１１１０の奥にはスクリーン１１３０が配置されて、ティーグラウンド１１１１からゴルファーがショットを打ったその飛球コースや着地位置をシミュレーションで表示する。
【００６７】
このため、ゴルファーは、ティーショットやセカンドショット等はティーグラウンド１１１１から打つことが可能であり、残りヤード数が設定値以下（例えば２０メートル相当以下）になった場合に、現実のグリーン及びバンカー等を用いたアプローチショットを放って、その後パッティングを遂行することが可能である。
【００６８】
例えば、セカンドショットをティーグラウンド１１１１から打った球がシミュレーション上でグリーンの周辺のバンカーに入った場合には、シミュレーションとリンクする現実のグリーン１１１０の周辺バンカー１１２０からアプローチショットを打つことができる。
【００６９】
また、ティーグラウンド１１１１から打つショットは、２０メートル程度の飛距離まではゴルファーに視認できるので、アミューズメント施設のような狭さや圧迫感を感じることなく、ショットを打つ爽快感・打球感も感じることが可能である。上述の説明においては、第一ホール１１００を代表例として説明したが、他のホールについても同様である。
【００７０】
上述したように、屋内ゴルフ場１０００は、アミューズメント施設にあるゴルフシミュレータ等の手軽さ、天候不問、立地占有面積の優位性等の良い点を有しつつ、同時に、現実の屋外ゴルフ場で得られる爽快感や打球感、開放感等が得られる程度の広さを実現する。
【００７１】
また、現実の屋外ゴルフ場と同等の芝生・バンカー・池及びグリーンを備えることにより、アプローチショットやパターについては、ゴルフシミュレータ等では到底達成できない現実のプレイ感覚を得ることができる。
【００７２】
従って、屋内ゴルフ場１０００においては、ゴルファーは例えロングホールであっても、炎天下で長距離を歩く必要はなく、極寒期に衣服を着込んでプレイする必要もなく、雨天であっても雨具を着用する必要もなく、気軽にかつ安全に、体に優しいリアルなゴルフを楽しむことが可能である。そして、ゴルフの醍醐味も十分に味わうことが可能である。
【００７３】
なお、一周で十八ホールを構成する例について説明したがこれに限定されるものではなく、例えば一周で九ホール（ハーフコース）を構成してもよく、一周で九ホールのハーフコースの屋内ゴルフ場を二つ隣接または上下階に配置して構成してもよい。また、現実のコースには幅広コースや幅狭コースが存在するように、中心角も各コースごとに換えて構成してもよい。
【００７４】
また、各コースのコース設計は、各コース毎にスクリーンに映写されるシミュレーションのコース設計とリンクさせることで、スクリーンによる飛打球及び打球位置の視認から現実のアプローチショットやパッティングに移行する場合にゴルファーが違和感なくスムースに移行できることが好ましい。
【００７５】
また、屋内ゴルフ場１０００においては、グリーン周辺や天然芝領域１１６０に適宜立木を配置することもできる。立木は、ＬＥＤ照明１１９１（１），１１９１（２）等により、育成され養生されることも可能である。
【００７６】
上述の実施形態で例示した屋内ゴルフ場１０００等は、各実施形態での説明に限定されるものではなく、各実施形態で説明する技術思想の範囲内かつ自明な範囲内で、適宜その構成等を変更することができる。
【産業上の利用可能性】
【００７７】
本発明の屋内ゴルフ場は、屋内型のゴルフ場やゴルフ練習場、ゴルフドーム場として広く適用できる。
【符号の説明】
【００７８】
１０００・・屋内ゴルフ場、１１００・・第一ホール、１１１０・・グリーン、１１１１・・ティーグラウンド、１１２０・・バンカー、１１３０・・スクリーン、１１３１・・表示装置、１１４０・・ネット、１１５０・・仕切り壁、１１６０・・天然芝領域、１１７０・・パーティション、１１８０・・ベンチ、１１９０・・池、１１９１・・ＬＥＤ照明、１１９２・・キャディーバック置き場。
【図１】
2014140550.tif 000003
【図２】
2014140550.tif 000004
【図３】
2014140550.tif 000005
【図４】
2014140550.tif 000006
【図５】
2014140550.tif 000007